【事件の表示】
　平成　９年特許願第３３０６９７号「ＰＤＰ（Ｐｌａｓｍａ  Ｄｉｓｐｌａｙ  Ｐａｎｅｌ）駆動方法」拒絶査定不服審判事件〔平成１０年　９月１４日出願公開、特開平１０−２４７０７５〕について、次のとおり審決する。
【結　論】
　本件審判の請求は、成り立たない。
【理　由】
１．手続の経緯
　本件は、平成９年１２月１日（パリ条約による優先権主張１９９６年１１月３０日、大韓民国、１９９７年７月４日、大韓民国）にされた特許出願（平成９年特許願第３３０６９７号。以下「本件出願」という。）につき、拒絶査定が平成１４年５月２日付けでされ、同年５月８日に発送されたところ、拒絶査定に対する審判が同年８月６日に請求され、同年９月４日に手続補正書が提出されたものである。
２．平成１４年９月４日付けの手続補正についての補正却下の決定
　（１）補正却下の決定の結論
　平成１４年９月４日付けの手続補正を却下する。
　（２）補正却下の決定の理由
　ア　補正後の発明
　上記手続補正は、本件出願の明細書の特許請求の範囲の請求項１〜２４を補正するものであって、その請求項１〜２４のうち請求項１は次のとおり補正することを含むものである。
　【請求項１】　ＰＤＰをスキャンドライブ及びアドレスドライブの信号でサブフィールド駆動する方法において、
　画面を、前記スキャンドライブによってそれぞれスキャンされる複数のスキャンラインの配列方向にＮ（≠１の自然数）個の領域に分割して、各領域内に複数のスキャンラインを連続して配置し、時間的に重ならないよう前記分割した各領域のスキャンラインを交互にスキャンする段階と、
　前記各領域のスキャンラインをスキャンする間に、各領域内のスキャンラインのスキャンに同期して、各領域毎にそれぞれ異なるとともに１つの領域において同一のアドレスを各領域内のアドレスラインにそれぞれ印加して副画面をディスプレイする段階と、
　前記副画面とは異なるアドレスの組合せからなる副画面をサブフィールド駆動により順次にディスプレイする段階と、
を備えることを特徴とするＰＤＰ駆動方法。
　
　上記補正は、本件出願の請求項１に係る発明について「各領域内に複数のスキャンラインを連続して配置し」との限定を付加し、さらに、補正前の「少なくとも２領域に分割し」及び「前記スキャンする間に、分割された各領域に互いに異なるアドレスを印加して」をそれぞれ「前記スキャンドライブによってそれぞれスキャンされる複数のスキャンラインの配列方向にＮ（≠１の自然数）個の領域に分割して」及び「前記各領域のスキャンラインをスキャンする間に、各領域内のスキャンラインのスキャンに同期して、各領域毎にそれぞれ異なるとともに１つの領域において同一のアドレスを各領域内のアドレスラインにそれぞれ印加して」と限定するものであって、特許法第１７条の２第４項第２号の特許請求の範囲の限定的減縮を目的とするものに該当する。
　
　イ　独立特許要件について
　上記手続補正後の請求項１に係る発明（以下、「本願補正発明」という。）が特許出願の際独立して特許を受けることができるものであるかについて以下に検討する。
（ア）引用刊行物記載の発明
　原査定の拒絶の理由に引用された特開平８−３０５３２０号公報（以下、「引用刊行物Ａ」という。）には、
（Ａ−１）「【請求項１】　複数の走査電極と複数のデータ電極との各交差部分に表示セルを行列状に配設し、該表示セルにデータの書込み放電および維持放電を行なって該表示セルを発光させて画面表示を行なう型式のプラズマディスプレイパネルの駆動方法において、前記データ電極を複数のデータ電極群に分割し、該データ電極群に夫々対応する複数の表示セル群に、該表示セル群毎に独立した書込み放電期間及び維持放電期間を設けることを特徴とするプラズマディスプレイパネルの駆動方法。・・・【請求項３】　前記走査電極を複数の走査電極群に分割し、前記独立した書込み放電期間の夫々において、前記複数の走査電極群を同時に且つ夫々線順次に走査する、請求項１又は２に記載のプラズマディスプレイパネルの駆動方法。」（特許請求の範囲）こと、
（Ａ−２）「本発明はプラズマディスプレイパネルの駆動方法に関し、特にメモリ型プラズマディスプレイパネルの駆動方法に関する。」（第１欄第２４〜２６行）こと、
（Ａ−３）「図１１は、図１２および図１３のＰＤＰで階調表示を行なうために、１フィールドを複数のサブフィールドに分割して駆動する際のＰＤＰの駆動タイミングを示す模式図である。図１１では、４つのサブフィールド、即ち、ＳＦ１、ＳＦ２、ＳＦ３、ＳＦ４に分けた例を示している。まず、全表示セルを同時に予備放電させる予備放電期間Ａがあり、続いて全表示セルを同時に予備放電消去する予備放電消去期間Ｂが存在する。その後の書込み放電期間Ｃにおいては、走査電極Ｓｃ１からＳｃｊ迄に対し線順次に走査パルスを印加する。図中の斜線を引いた部分が各走査電極の書込みタイミングである。・・・最終の走査電極Ｓｃｊの書込みが終了した後に、全ての表示セルを、維持放電期間Ｄ１、Ｄ２、Ｄ３、Ｄ４の内から選択された所定期間に夫々維持放電させる。この維持放電期間Ｄ１、Ｄ２、Ｄ３、Ｄ４が夫々Ｔ、Ｔ／２、Ｔ／４、Ｔ／８となるように選定されており、夫々の表示セルの発光時間を２nで重み付けすることで階調表示（１６階調＝２4）を行う。」（第２欄第５０行〜第３欄１７行）こと、
（Ａ−４）「図１において、本発明の駆動方法では、まず、全表示セルを同時に予備放電させる第１予備放電期間A11があり、続いて全表示セルを同時に予備放電消去する第１予備放電消去期間B11が存在する。その直後の第１書込み放電期間C11において、走査電極Ｓｃ１らＳｃｉまでに対して線順次に走査パルスを印加する。・・・図中の斜線を引いた部分が各走査電極の書込みタイミング期間である。この書込みタイミング期間中において、データ電極には、図２に示した第１データブロックＧ１のデータ電極Ｄａ１、Ｄａ２、・・・、Ｄａｋのみにデータパルスを印加し、第２データブロックＧ２のデータ電極Ｄａｋ＋１、Ｄａｋ＋２、・・・、Ｄａ２ｋにはデータパルスを印加しない。次いで、第１データブロックを維持放電させるために第１維持放電期間D11において各セル共通の維持放電を行う。これにより、第１データブロックＧ１のためのサブフィールド部分が終了する。・・・引き続き、第２データブロックＧ２の各データ電極Ｄａｋ＋１、Ｄａｋ＋２、・・・、Ｄａ２ｋについても、第１データブロックのためのサブフィールド部分と同様に、上記一連の駆動シーケンスを繰り返し行うことで第２のデータブロックのためのサブフィールド部分が終了する。これにより１つのサブフィールドが終了し、所望の表示画像が得られる。・・・図３は、上記第１の実施例における各駆動電圧波形の一例を示すタイミングチャートである。同図には、図２に示したＰＤＰパネル９の維持電極Ｓｕ１〜Ｓｕｊに印加される共通の維持電極駆動波形ＣＯＭと、走査電極Ｓｃ１〜Ｓｃｊに印加される走査電極駆動波形Ｓ１１、Ｓ１２、・・・、Ｓ１ｊと、第１データブロックＧ１のデータ電極Ｄａ１〜Ｄａｋと及び第２データブロックＧ２のデータ電極Ｄａｋ＋１〜Ｄａ２ｋに印加される各データ電極駆動波形ＤＡＴＡ１、ＤＡＴＡ２とを示している。」（第５欄第１７〜４８行）こと、
（Ａ−５）「図６は、本発明の第３の実施例の駆動方法を採用するＰＤＰの電極構造を示す。第１および第２の実施例では、データブロックの分割は、パネルの中心で区切る左右二分割を採用した。本実施例では、例えば６４０本のデータ電極を、各１６０本毎の４つのブロックＧ１、Ｇ２、Ｇ３およびＧ４に分割し、奇数番目のデータブロックＧ１、Ｇ３は第１維持放電期間で維持放電を行い、偶数番目のデータブロックＧ２、Ｇ４は第２維持放電期間で維持放電を行うものとしてある。なお、これに代えて、データ電極の奇数ラインと偶数ラインとを分けて２つのブロックにすることも出来る。」（第８欄第１８〜２８行）こと、
（Ａ−６）「図７は、本発明の第４の実施例のＰＤＰの駆動方法における１つのサブフィールド期間を示す模式図、図８はそのディスプレイパネルのブロック図である。図７において、本実施例の駆動法では、まず、全ての表示セルを同時に予備放電させる第１予備放電期間A31があり、続いて全ての表示セルを同時に予備放電消去する第１予備放電消去期間B31が設けられる。・・・後続する第１書き込み放電期間C31においては、まず、第１走査ブロックＰ１の第１番目の走査電極Ｓｃ１と第２走査ブロックＰ２の第１番目の走査電極Ｓｃｍ＋１に同時に走査パルスを印加し、引き続き、第一走査ブロックＰ１では最終の走査電極Ｓｃｍまで、第２走査ブロックＰ２では最終の走査電極Ｓｃｎまで、各ブロックＰ１およびＰ２を同時に且つ夫々線順次に走査する。図中の斜線を引いた部分が各走査電極の書込みタイミングである。このとき、データ電極には、第１データブロックＧ１のデータ電極Ｄａ１〜Ｄａｋにデータパルスを印加し、第２データブロックＧ２のデータ電極Ｄａｋ＋１〜Ｄａ２ｋにはデータパルスを印加しない。第１データブロックＧ１の全表示セルに発光情報が入力された後に、表示セルの全てに同時に維持放電パルスを与える第１維持放電期間D31を設ける。これで第１ブロックＧ１のためのサブフィールド部分が終了する。その後、上記と同様の一連の駆動シーケンスを第２データブロックのためのサブフィールド部分として持つことで、１つのサブフィールドが終了し、所望の表示画像が得られる。上記第４の実施例においても、第１の実施例と同様に、２つのデータブロックに分けて維持放電を行う構成により、例えば１つの走査電極上において表示セルの全てが１つのサブフィールドで発光選択された場合には、発光電流は従来の１／２になる。従って、電極及び駆動回路のインピーダンスによる電圧降下が低減でき、表示セル数の時間的な増減に伴う輝度変動も低減できる。また、本実施例の場合には、書込み放電期間が第１の実施例の書込み放電期間の１／２になるので、特に走査電極数を多く必要とする高精細ディスプレイや多階調表示ディスプレイに本実施例を適用する利点が大きい。・・・図９は、本発明の第５の実施例のＰＤＰの駆動方法における１つのサブフィールド期間のタイミングを示す模式図である。本実施例の駆動方法では、まず、全ての表示セルを同時に予備放電させる第１予備放電期間A41があり、続いて全ての表示セルを同時に予備放電消去する第１予備放電消去期間B41が設けられる。・・・その後、第１書込み放電期間C41において、まず、第１走査ブロックＰ１の１番目の走査電極Ｓｃ１および第２走査ブロックＰ２の１番目の走査電極Ｓｃｍ＋１に同時に走査パルスを印加し、引き続き、第１走査ブロックＰ１では走査電極Ｓｃｍまで、第２走査ブロックＰ２では走査電極Ｓｃｎまで、各ブロックを同時に且つ夫々線順次に走査する。引き続き、第一維持放電期間D41において、書込み放電が終了した表示セルから維持放電が順次に行われる。維持放電パルスが所定数だけ与えられて所定回数の発光が終了した後に、第１一維持消去期間E41に移行し、維持消去パルスが順次に印加される。これで第１ブロックＧ１のためのサブフィールド部分が終了する。・・・その後、第２データブロックのためのサブフィールド部分として、第２予備放電期間A42、第２予備放電消去期間B42、第２書込み放電期間C42、第２維持放電期間D42、第２維持消去期間E42を、上記第１データブロックのためのサブフィールド部分と同様に持つ。これにより、１つのサブフィールドが終了し所望の表示画像が得られる。ここで、先の実施例と同様に、第２予備放電期間A42および第２予備放電消去期間B42を省略することも出来る。」（第８欄第２９行〜第９欄第４３行）こと、
（Ａ−７）「以上説明したように、本発明のプラズマディスプレイパネルの駆動方法は、データ電極を複数のデータ電極群に分割し、このデータ電極群毎に独立に書込み放電期間および維持放電期間を設けたことにより、各走査電極上に流れる発光電流が小さく抑えられるので、電極および駆動回路のインピーダンスによる電圧降下が低減でき、各走査電極上における表示セル数の時間的な増減に伴う輝度変動を抑えた顕著な効果を奏する。・・・また、上記に加えて更に、走査電極を複数の走査電極群毎に分割する構成を採用すれば、書込み放電期間が短縮できるので、本発明を、特に走査電極数を多く必要とする高精細ディスプレイや多階調表示ディスプレイに適用する際に、その利点が大きい。」（第１０欄第３３〜４５行）ことが記載されている。
（Ａ−８）また、上記引用刊行物Ａの上記（Ａ−４）、（Ａ−６）を参照すると、図８にはＰＤＰパネル９の上下を第１走査ブロックＰ１と第２走査ブロックＰ２に分割することが記載されている。
　上記（Ａ−１）〜（Ａ−８）の記載を参照すると、上記引用刊行物Ａには、
「ＰＤＰを走査パルスおよびデータパルスによってサブフィールド駆動する方法において、ＰＤＰパネル９を、走査パルスが供給される走査電極を上下方向に複数の走査電極群の走査ブロック（Ｐ１、Ｐ２・・・）に分割して配置し、各走査ブロックの最初の走査電極（Ｓｃ１、Ｓｃｍ＋１・・・）を同時に走査したのち各走査ブロックの各走査電極を順次同時に走査し、
　維持放電期間（Ｄ41、Ｄ42・・・）に、各走査ブロックの各走査電極を書き込みタイミングで書込み放電期間（Ｃ41、Ｃ42・・・）だけ順次走査し、書き込み放電が終了した表示セルから所定数だけ維持放電パルスを与えたのち維持消去期間（Ｅ41、Ｅ42・・・）だけ維持消去パルスを順次に印加してつの１つのサブフィールドを表示し、
　前記１つのサブフィールドとは異なる維持放電期間を有する他のサブフールドを維持放電期間の長い順に選択して表示することを特徴とするＰＤＰの駆動方法。」の発明（以下、「引用発明」という。）が記載されていると認める。
　また、同じく原査定の拒絶の理由に引用された特開平６−２８２２４２号公報（以下、「引用刊行物Ｂ」という。）には、
（Ｂ−１）「本発明はいわゆるプラズマディスプレイパネル（以下ガス放電パネルと称する）の駆動方法に関する。」（第１欄第２９〜３１行）こと、
（Ｂ−２）「画像表示装置におけるガス放電パネルの駆動方法について、図２を参照しつつ出力処理回路９及び書込消去制御回路１２の関連動作を通じて説明する。図２（ａ）は、奇数ライン電極Ｓ1，Ｓ3，Ｓ5…Ｓ499に対して設定される８つのサブフィールドの配列を示している。すなわち、第１〜第８サブフィールドの重みを１２８：６４：３２：１６：８：４：２：１としたときの時間長をフィールド長Ｆとして（６／１６）Ｆ，（３／１６）Ｆ，（２／１６）Ｆ，（１／１６）Ｆ，（１／１６）Ｆ，（１／１６）Ｆ，（１／１６）Ｆ，（１／１６）Ｆにする。そして、奇数ライン電極に対しては、（６／１６）Ｆ，（２／１６）Ｆ，（１／１６）Ｆ，（３／１６）Ｆ，（１／１６）Ｆ，（１／１６）Ｆ，（１／１６）Ｆ，（１／１６）Ｆの配列順としているのである。一方、図２（ｂ）からも明らかな如く、偶数ライン電極群Ｓ2，Ｓ4，…Ｓ500に対しては、（１／１６）Ｆ，（１／１６）Ｆ，（１／１６）Ｆ，（１／１６）Ｆ，（２／１６）Ｆ，（３／１６）Ｆ，（１／１６）Ｆ，（６／１６）Ｆの配列順としている。換言すれば、奇数ライン電極に対する重み付けの大なるサブフィールドの期間内に偶数ライン電極群に対応する重み付けの小なるサブフィールドが配列されているのである。・・・なお、図中、ハッチング部分の前縁は書込パルスＷの分布を示し、後縁は消去パルスＥの分布を示している。そして、書込パルスＷ及び消去パルスＥによって挾まれるハッチング領域には維持パルスによって発光が維持さるのである。」（第３欄第４５行〜第４欄第２２行）こと、
（Ｂ−３）「図２（ａ）及び（ｂ）に示されたサブフィールドの配列によってガス放電パネルを駆動する場合、先ず、奇数ラインに対しては１２８の重みのサブフィールドの書き込みをなした後直ちに偶数ラインに対しては１，２，４，８，３２の重みのサブフィールドについての書き込みを行うのである。そして、次に、奇数ラインに対して、３２の重みのサブフィールドについての書き込みをなし、次いで、偶数ラインに対して６４の重みのサブフールドについての書き込みをなし、次いで、奇数ラインに対して１６及び６４の重みのサブフィールドについての書き込みをなす。次いで、偶数ラインに対して１６及び１２８の重みのサブフィールドについての書き込みをなし、最後に、奇数ラインに対して８，４，２，１の重みのサブフィールドについての書き込みを行うのである。上記した書き込みの移り変わりの様子は図２（ａ）及び（ｂ）において破線の矢印によって示してある。・・・　上記した実施例においては、ライン電極群を２群に分けて各群毎にサブフィールドの配列を定めており、これによって群毎のサブフィールドの書込所要時間をライン電極全体を１群として順に書き込む場合に比して半分にすることが出来るので、各サブフィールドの実時間長を短縮出来る。」（第４欄第５０行〜第５欄第２２行）こと、
（Ｂ−４）「また、ライン電極の群分けの態様は、奇数偶数によらず、ｎ（２以上の整数）本のライン電極おきの１本のライン電極を第１群とし、残りを第２群とすることも考えられる。また、ライン電極の群分けは、２群に限らず３群以上とすることも出来る。また、サブフィールドの配列順は、図２（ａ），（ｂ）に示したものには限定されず、要するに書込タイミングが、サブフィールド間において時間軸上異なれば良いのである。図２（ａ）、（ｂ）の例においては、書込タイミングが次々と切れ目なく発生する理想的な態様が得られているが、書込タイミングの発生間に若干の時間的ロスがあっても複数の小群に分けたライン電極に対するサブフィールド配列において、一つの小群に対応するサブフィールド群中の重み付けの大なるサブフィールドの時間内に他の小群に対応するサブフィールド群中の重み付けの小なるサブフィールドが含まれれば、重み付けの大なるサブフィールド期間を重み付けの小なるサブフィールドの複数の書込に活用出来るのである。・・・【発明の効果】上記したことから明らかな如く、本願発明によるガス放電パネルの駆動方法によれば、ライン電極群を複数の小群に分けて、各小群に対応するサブフィールド配列を設定して、しかも書込タイミングを時間軸上異なる位置に配したので、書込に要する電力消費を抑制しつつライン電極群の走査サイクルを速めたので単位時間当りのガス放電パネルの発光量を大とすることが出来、画面の明るさを向上させることが出来る。」（第５欄第２３行〜第６欄第２０行）ことが記載されている。
　（イ）本願補正発明についての対比・判断
　本願補正発明と引用発明とを対比する。
　引用発明の「走査パルス」、「データパルス」、「ＰＤＰパネル９」、「走査電極」、「走査ブロック（Ｐ１、Ｐ２・・・）」がそれぞれ本願補正発明１の「スキャンドライブの信号」、「アドレスドライブの信号」、「画面」、「スキャンライン」、「領域」に相当する。
　また、引用発明も走査パルスが供給される走査電極を上下方向に複数の走査電極群の走査ブロック（Ｐ１、Ｐ２・・・）に分割し、各走査ブロックの走査電極は上下方向に連続して設けられているから、引用発明の「走査パルスが供給される走査電極を上下方向に複数の走査電極群の走査ブロック（Ｐ１、Ｐ２・・・）に分割する」ことは本願補正発明の「スキャンドライブによってそれぞれスキャンされる複数のスキャンラインの配列方向にＮ（≠１の自然数）個の領域に分割して、各領域内に複数のスキャンラインを連続して配置」することに相当する。
　そして、引用発明の１つのサブフィールドを表示することが本願補正発明の「副画面」に相当する。
　さらに、本願補正発明の「同一のアドレス」または「異なるアドレス」の「アドレス」とは異なる放電時間からなるサブフィールドで表示される副画面を選択することを意味し、引用発明も１つのサブフィールドとは異なる維持放電期間を有する他のサブフィールドを維持放電期間の長い順に選択して表示しているから、引用発明も「副画面とは異なるアドレスの組合せからなる副画面をサブフィールド駆動により順次にディスプレイする段階」を有するものである。
　そして、また、引用発明の、維持放電期間（Ｄ41、Ｄ42・・・）に、各走査ブロックの各走査電極を書き込みタイミングで書込み放電期間（Ｃ41、Ｃ42・・・）だけ順次走査し、書き込み放電が終了した表示セルから所定数だけ維持放電パルスを与えたのち維持消去期間（Ｅ41、Ｅ42・・・）だけ維持消去パルスを順次に印加して表示される１つのサブフィールドは、維持放電期間の長い順に選択されるサブフィールドであり、１つのサブフィールドが選択されるとその選択に伴い同じ維持放電期間だけ各走査ブロックの各走査電極が順次走査されるものであるから、引用発明も「各領域のスキャンラインをスキャンする間に、各領域内のスキャンラインのスキャンに同期して、１つの領域において同一のアドレスを各領域内のアドレスラインにそれぞれ印加して副画面をディスプレイする段階」有するものである。
　そうすると、本願補正発明と引用発明とは、
　「ＰＤＰをスキャンドライブ及びアドレスドライブの信号でサブフィールド駆動する方法において、
　画面を、前記スキャンドライブによってそれぞれスキャンされる複数のスキャンラインの配列方向にＮ（≠１の自然数）個の領域に分割して、各領域内に複数のスキャンラインを連続して配置してスキャンする段階と、
　前記各領域のスキャンラインをスキャンする間に、各領域内のスキャンラインのスキャンに同期して、１つの領域において同一のアドレスを各領域内のアドレスラインにそれぞれ印加して副画面をディスプレイする段階と、
　前記副画面とは異なるアドレスの組合せからなる副画面をサブフィールド駆動により順次にディスプレイする段階と、
を備えることを特徴とするＰＤＰ駆動方法。」である点で一致し、次の相違点（あ）及び（い）で相違している。
・相違点（あ）
　分割した各領域をスキャンする段階において、本願補正発明では「時間的に重ならないよう前記分割した各領域のスキャンラインを交互にスキャンする」のに対して、引用発明では「分割した走査ブロックで対応する走査電極を順次同時に走査する」点。
・相違点（い）
　各領域のスキャンラインをスキャンする間に、各領域内のスキャンラインのスキャンに同期して、１つの領域において同一のアドレスを各領域内のスキャンラインにそれぞれ印加して副画面をディスプレイする段階で、本願補正発明では「各領域毎にそれぞれ異なるアドレスが印加される」のに対して引用発明では水平ラインの「各領域毎に同一のアドレスが印加される」点。
　そこで、上記相違点（あ）及び相違点（い）について判断する。
・相違点（あ）について
　複数の走査する電極を上下方向に分割し、電極に走査パルスを印加して表示するＰＤＰの駆動方法において、分割したブロックの走査される電極を時間的に重ならないように交互に走査することは周知（例えば特開平４−２４８５８５号公報（図２、段落番号【００１５】、特開平５−１３００６号公報（図２、段落番号【００１６】、【００１７】）、特開平０５−２８９２６号公報（図２、段落番号【００１５】、【００１６】、特開平５−１２７６１５号公報（図１、段落番号【００１３】、【００１４】）参照）であり、引用発明においても複数の走査電極を上下方向に分割した走査ブロックの対応する走査電極を時間的に重ならないように交互に走査することは、上記周知技術を採用して当業者が容易に為し得るものである。
・相違点（い）について
　上記引用刊行物Ｂの上記（Ｂ−１）〜（Ｂ−３）には、奇数の水平ライン電極群と偶数の水平ライン電極群に水平ラインの電極群を分割し、分割した奇数の水平ライン電極群と偶数の水平ライン電極群にそれぞれ異なる時間長の複数のサブフィールドを異なる配列にして表示するプラズマディプレイパネル記載されているし、さらに、上記（Ｂ−４）には分割する水平ラインの電極群は奇数偶数によらないことも記載されている。
　そして、この引用刊行物Ｂの水平ライン電極は引用発明の走査電極に対応するものであり、引用発明も引用刊行物Ｂに記載された発明もともに複数の走査電極を複数の走査ブロックに分割し、分割した走査ブロックを異なる複数のサブフィールドの組み合わせで表示するものであるから、引用発明に引用刊行物Ｂに記載された発明を適用することに格別困難性はなく、また、引用発明は分割した走査ブロックのサブフィールドが時間軸上で重なり合うようにしていることから、引用刊行物Ｂに記載された発明の各走査ブロックごとに異なる時間長の複数のサブフィールドを異なる配列にして表示する構成を引用発明に採用した際に、１つの走査ブロックのサブフィールドと他の走査ブロックの異なるサブフィールドが時間軸上で互いに重なり合うことは自明な事項である。
　したがって、引用発明おいても各走査ブロックことに異なる時間長の複数のサブフィールドを異なる配列にして表示することは引用刊行物Ｂに記載された発明を引用発明に採用して当業者が容易に為し得るものである。
　そして、本願補正発明によってもたらされる効果は、上記引用発明、引用刊行物Ｂに記載された発明及び周知技術から予測される範囲内のものである。
　したがって、本願補正発明は、引用発明、引用刊行物Ｂに記載された発明及び周知技術に基づき当業者が容易に発明をすることができたものであるから、特許法第２９条第２項の規定により特許出願の際独立して特許を受けることができないものである。
　ウ　補正却下の決定についてのむすび
　以上の通りであるから、上記手続補正は、平成１５年改正前特許法第１７条の２第５項において準用する同法第１２６条第４項の規定に違反するものであり、同法第１５９条第１項において準用する同法第５３条の規定により却下しなければならないものである。
３．本件出願に係る発明
　平成１４年９月４日付け手続補正は上記のとおり却下されたので、本件出願の請求項１〜２４に係る発明は、平成１２年１０月１６日付け手続補正書、平成１３年１月２９日付け手続補正書及び平成１４年４月９日付け手続補正書により補正された明細書及び図面の記載からみて、特許請求の範囲の請求項１〜２４に記載されたとおりのものであって、その請求項１に係る発明（以下、「本願発明」という。）は次のとおりのものと認める。
・本願発明「　ＰＤＰをスキャンドライブ及びアドレスドライブの信号でサブフィールド駆動する方法において、
　画面を少なくとも２領域に分割し、時間的に重ならないよう前記分割した各領域を交互にスキャンする段階と、
　前記スキャンする間に、分割された各領域に互いに異なるアドレスを印加して副画面をディスプレイする段階と、
　前記副画面と異なるアドレスの組合せからなる副画面をサブフィールド駆動により順次にディスプレイする段階と、
を備えることを特徴とするＰＤＰ駆動方法。」
４．引用刊行物に記載された発明
　原査定の拒絶の理由に引用された引用刊行物Ａおよび引用刊行物Ｂとそれぞれの引用刊行物の記載事項は上記「２．イ（ア）引用刊行物記載の発明」のとおりである。
５．対比・判断
　ア　本願発明と引用発明とを対比する。
　　引用発明の「走査パルス」、「データパルス」、「ＰＤＰパネル９」、「走査」、「走査ブロック（Ｐ１、Ｐ２・・・）」がそれぞれ本願発明１の「スキャンドライブの信号」、「アドレスドライブの信号」、「画面」、「スキャン」、「領域」に相当する。
　また、引用発明も走査パルスが供給される走査電極を上下方向に複数の走査電極群の走査ブロック（Ｐ１、Ｐ２・・・）に分割し、各走査ブロックの走査電極は上下方向に連続して設けられているから、引用発明の「走査パルスが供給される走査電極を上下方向に複数の走査電極群の走査ブロック（Ｐ１、Ｐ２・・・）に分割する」ことは本願発明の「画面を少なくとも２領域に分割」することに相当する。
　そして、引用発明の１つのＰＤＰパネル９上にサブフィールド部分を表示することが本願発明の「副画面」に対応する。
　さらに、本願発明の「アドレス」とは異なる放電時間からなるサブフィールドで表示される副画面を選択することを意味し、引用発明も１つのサブフィールド部分とは異なる維持放電期間を有するサブフールド部分を維持放電期間の長い順に駆動して表示しているから、引用発明も「副画面とは異なるアドレスの組合せからなる副画面をサブフィールド駆動により順次にディスプレイする段階」を有するものである。
　そうすると、本願発明と引用発明とは、
　「　ＰＤＰをスキャンドライブ及びアドレスドライブの信号でサブフィールド駆動する方法において、
　画面を少なくとも２領域に分割してスキャンする段階と、
　前記スキャンする間に、分割された各領域にアドレスを印加して副画面をディスプレイする段階と、
　前記副画面と異なるアドレスの組合せからなる副画面をサブフィールド駆動により順次にディスプレイする段階と、
を備えることを特徴とするＰＤＰ駆動方法。」である点で一致し、次の相違点（う）及び（え）で相違している。
・相違点（う）
　分割した各領域をスキャンする段階において、本願発明では「時間的に重ならないよう前記分割した各領域を交互にスキャンする」のに対して、引用発明では「分割した走査ブロックで対応する走査電極を順次同時に走査する」点。
・相違点（え）
　スキャンする間に、分割された各領域にアドレスを印加して副画面をディスプレイする段階において、本願発明では「各領域毎にそれぞれ異なるアドレスが印加される」のに対して引用発明では水平ラインの「各領域毎に同一のアドレスが印加される」点。
　イ　当審の判断
　そこで、上記相違点（う）及び相違点（え）について判断する。
・相違点（う）について
　相違点（う）は上記相違点（あ）においてスキャンラインを削除したものであるが、相違点（う）で分割した各領域をスキャンする対象はスキャンラインであることは明らかであることから、相違点（う）は実質的に上記相違点（あ）と同じである。
　よって、相違点（う）については上記「２.イ（イ）本願補正発明についての対比・判断」に記載した理由で当業者が容易になし得るものである。
・相違点（え）について
　相違点（え）は上記相違点（い）と同じであるから相違点（え）については上記「２.イ（イ）本願補正発明についての対比・判断」に記載した理由で当業者が容易に為し得るものである。
　そして、本願発明によってもたらされる効果は、上記引用発明、引用刊行物Ｂに記載された発明及び周知技術から予測される範囲内のものである。
　したがって、本願発明は、引用発明、引用刊行物Ｂに記載された発明及び周知技術に基づき当業者が容易に発明をすることができたものである。
６．むすび
　以上のとおりであるから、本願発明は特許法第２９条第２項の規定により特許を受けることができないものであるから、その余の請求項に係る発明について検討するまでもなく、本願は、拒絶をすべきものである。
 
　よって、結論のとおり審決する。